(57)【要約】【課題】スマートな乗客と貨物の輸送システムとその方法を提供すること。【解決手段】本発明のスマートな乗客と貨物の輸送システムは、迅速且つ柔軟で、尚且つ信頼性が高く、低コストで、燃料効率に優れ、環境にも優しく輸送するため、単独の移動者が有する陸、海、空の輸送手段にある有効的な積載能力を使用して、貨物と乗客をピックアップ、輸送、転送、中継、輸送するものであり、アイテムの受領、保管、転送のステーションの場所を指定し、経路と料金を演算・計算し、乗客と貨物の引渡し、ピックアップ、出発地から目的地までの輸送のために、対応可能な資格を満たす一般の移動者を指定の場所、指定の時間に派遣するための通信ネットワークを維持するサービス提供者によって管理される。このスマートな輸送システムは、既存の乗客および貨物輸送システムのフォローまたはバックアップシステム（またはその逆）とすることができる。【選択図】図６
2016091563.tif 000002
【特許請求の範囲】
【請求項１】
スマートな乗客と貨物の輸送システムであって、
（ａ） 前記乗客と貨物を受領、保管、転送する複数のステーションと、
（ｂ） 前記乗客と貨物を輸送する能力を有し且つスケジュールを有する複数の移動者と、
（ｃ） 前記ステーションと前記移動者とを統合する情報を構築し、ニーズに応じて経路を決め、前記経路に符合する前記移動者を派遣して、前記経路上の出発地であるの前記ステーションから最終目的地である前記ステーションまで前記乗客と貨物とを輸送するための通信ネットワークを装備したコンピューター設備と、
（ｄ） 前記コンピューター設備が前記経路に基づいて、前記移動者に単独で前記乗客或いは貨物のピックアップと輸送とを通知して派遣するための前記移動者用の通信機器と、を含み、
前記輸送システムが前記コンピューターと前記通信機器の補助で、前記移動者が単独で前記乗客と前記貨物とを輸送することを特徴とする、スマートな乗客と貨物の輸送システム。
【請求項２】
前記単独の移動者は、利用可能で資格要件に符合する通勤者または非搬送専門業者であって、かつ常時場所から場所へと移動する者であることを特徴とする、請求項１に記載のスマートな乗客と貨物の輸送システム。
【請求項３】
前記ステーションは、前記乗客と貨物の受領、保管、転送の能力を備えた一元化されたサービス提供者によって維持されることを特徴とする、請求項１あるいは２に記載のスマートな乗客と貨物の輸送システム。
【請求項４】
前記一元化されたサービス提供者は、前記乗客および前記貨物の所有者からの輸送リクエストを受領し、利用可能な前記ステーションと資格要件を満たす対応可能な前記移動者とに基づいて最適な経路を演算することを特徴とする、請求項３に記載のスマートな乗客と貨物の輸送システム。
【請求項５】
前記移動者用の通信機器は、双方向の無線または有線接続された電話、スマートフォン、タブレット 、コンピューターのいずれかであることを特徴とする、請求項１あるいは２に記載のスマートな乗客と貨物の輸送システム。
【請求項６】
前記ステーションは、通信サービスのカバー範囲内にある固定式、一時的、または移動式の場所にあることを特徴とする、請求項１あるいは２に記載のスマートな乗客と貨物の輸送システム。
【請求項７】
前記移動者の前記輸送能力は、輸送設備のドライバー、または乗客いずれかであることを特徴とする、請求項１あるいは２に記載のスマートな乗客と貨物の輸送システム。
【請求項８】
前記経路の少なくとも一部に、前記ステーションおよび前記非輸送専門業者である単独の移動者が不足している場合、前記コンピューター設備は輸送専門業者によりバックアップされることを特徴とする、請求項１あるいは２に記載のスマートな乗客と貨物の輸送システム。
【請求項９】
前記経路の少なくとも一部に、前記ステーションおよび前記非輸送専門業者である単独の移動者が不足している場合、前記コンピューター設備は輸送専門業者によりバックアップされることを特徴とする、請求項４に記載のスマートな乗客と貨物の輸送システム。
【請求項１０】
前記経路の少なくとも一部に、前記ステーションおよび前記非輸送専門業者である単独の移動者が不足している場合、前記コンピューター設備は輸送専門業者によりバックアップされることを特徴とする、請求項６に記載のスマートな乗客と貨物の輸送システム。
【請求項１１】
スマートな乗客と貨物の輸送方法であって、
（ａ） 前記乗客と貨物を受領、保管、転送する複数のステーションを提供する工程と、
（ｂ） 前記乗客と貨物を輸送する能力を有し且つスケジュールを有する複数の移動者を集める工程と、
（ｃ） 前記ステーションと前記移動者とを統合する情報を構築し、ニーズに応じて経路を決め、前記経路に符合する前記移動者を派遣して、前記経路上の出発地であるの前記ステーションから最終目的地である前記ステーションまで前記乗客と貨物とを輸送するための通信ネットワークを装備したコンピューター設備を提供する工程と、
（ｄ） 前記コンピューター設備が前記経路に基づいて、前記移動者に単独で前記乗客或いは貨物のピックアップと輸送とを通知して派遣するための前記移動者用の通信機器を提供する工程と、を含み、
前記方法が前記コンピューターと前記通信機器の補助で、前記移動者によって前記乗客と前記貨物を輸送する、ことを特徴とする、スマートな乗客と貨物の輸送方法。
【請求項１２】
前記単独の移動者は、利用可能で資格要件に符合する通勤者または非搬送専門業者であって、かつ常時場所から場所へと移動する者であることを特徴とする、請求項１に記載のスマートな乗客と貨物の輸送方法。
【請求項１３】
前記ステーションは、前記乗客と貨物の受領、保管、転送の能力を備えた一元化されたサービス提供者によって維持されることを特徴とする、請求項１あるいは２に記載のスマートな乗客と貨物の輸送方法。
【請求項１４】
前記一元化されたサービス提供者は、前記乗客および前記貨物の所有者からの輸送リクエストを受領し、利用可能な前記ステーションと資格要件を満たす対応可能な前記移動者とに基づいて最適な経路を演算することを特徴とする、請求項３に記載のスマートな乗客と貨物の輸送方法。
【請求項１５】
前記移動者用の通信機器は、双方向の無線または有線接続された電話、スマートフォン、タブレット 、コンピューターのいずれかであることを特徴とする、請求項１あるいは２に記載のスマートな乗客と貨物の輸送方法。
【請求項１６】
前記ステーションは、通信サービスのカバー範囲内にある固定式、一時的、または移動式の場所にあることを特徴とする、請求項１あるいは２に記載のスマートな乗客と貨物の輸送方法。
【請求項１７】
前記移動者の前記輸送能力は、輸送設備のドライバー、または乗客いずれかであることを特徴とする、請求項１あるいは２に記載のスマートな乗客と貨物の輸送方法。
【請求項１８】
前記経路の少なくとも一部に、前記ステーションおよび前記非輸送専門業者である単独の移動者が不足している場合、前記コンピューター設備は輸送専門業者によりバックアップされることを特徴とする、請求項１あるいは２に記載のスマートな乗客と貨物の輸送方法。
【請求項１９】
前記経路の少なくとも一部に、前記ステーションおよび前記非輸送専門業者である単独の移動者が不足している場合、前記コンピューター設備は輸送専門業者によりバックアップされることを特徴とする、請求項４に記載のスマートな乗客と貨物の輸送方法。
【請求項２０】
前記経路の少なくとも一部に、前記ステーションおよび前記非輸送専門業者である単独の移動者が不足している場合、前記コンピューター設備は輸送専門業者によりバックアップされることを特徴とする、請求項６に記載のスマートな乗客と貨物の輸送方法。
【発明の詳細な説明】
【技術分野】
【０００１】
本発明は、通信ネットワークを利用した電話とコンピューターアプリケーションの補助で、すべての移動者が乗客および貨物、またはその他電子的に送達不能のアイテムを輸送するためのスマートで新しいよりよい方法に関するものである。
【背景技術】
【０００２】
本発明が必要である理由
（問題）
現在の輸送システムは非常に古く、非常に高価で、極めて非効率的であり、リソース計画、収集、共有、管理、統合、システム制御の欠落のために膨大な量のリソースが完全に無駄にされている。現在の輸送システムは化石燃料の燃焼にほぼ完全に依存しており、これは非常に高価であるだけでなく、環境に非常に有害である。コスト面では、輸送コストが輸送するアイテムよりもずっと高額になることがある。また、乗客と貨物、および（または）任意の物理的アイテムの輸送は、通常高額な専門のプロフェッショナルな機関または企業によって行われており、 これがさらに状況を悪化させ、コスト増を招いている。米国では、貨物は米国郵便サービス、ＵＰＳ、ＦｅｄＥｘ、その他機関によって高コストの従業員および設備を使用しているが、その輸送サービスは年中無休で提供されるものではない輸送。乗客もまた、高コストの従業員を抱えた高額な専門のサービス提供者によって運営されている航空機、列車、バスによって運ばれる。
【０００３】
最悪なのは、自分自身の輸送設備を持つ数百万の独立した移動者も道路、海、空を利用しており、さらに膨大な量の燃料を消費し、環境を汚染していることである。一般的な自動車は３０００〜５０００ポンドの重量があるが、それを運転する運転者の重量は２００ポンドにも満たず、エネルギー、時間、金銭、リソースの最悪の無駄であり、同時に環境も破壊している。
【０００４】
乗合という素晴らしいアイデアを導入した自動車/ワゴン車の乗合システムは存在して久しいが、 ほとんどが地域のコミュニティ内で乗客/通勤客の自宅と職場間の輸送のみに利用されている。これらの自動車乗合サービスはより大きな規模に拡大されたことがなく、また乗客と貨物の輸送を管理する国内または国際的ネットワークのよりよい方法が形成されたことがない。
【０００５】
（解決策）
今日では個別の独立した移動者は通常よりも多くのアイテムを輸送する余剰能力があることは確実である。解決策は、これらの移動者とコンピューターテクノロジーおよび通信インフラストラクチャを基盤としたスマートな輸送システムを構築し、独立した移動者の輸送能力と利用可能な情報を収集するともに、需要と供給を管理し、余剰輸送能力を活用して乗客および貨物を輸送する機会を提供することである。
【０００６】
１０〜２０年前はインターネットアクセスがなく、携帯電話用無線インフラストラクチャのカバー範囲が狭かったため、この現行の解決策は不可能であったが、電話会社による数十億ドルの投資を経て、本発明は新しいスマートな乗客と貨物の輸送システムという解決策を実現する最も有用なスマートフォンとモバイルネットワークのアプリケーションとしてついに生まれたものである。
【発明の概要】
【発明が解決しようとする課題】
【０００７】
本発明の目的は、迅速且つ柔軟で、尚且つ信頼性が高く、低コストで、燃料効率に優れ、環境にも優しい方法であって、一般の移動者が道路、海上、空の上で移動のためにすでに使用している輸送設備の積載能力を使用して、貨物と乗客をピックアップ、輸送、転送、中継、輸送する、スマートな乗客と貨物の輸送システムとその方法を提供することにある。
【課題を解決するための手段】
【０００８】
本発明のスマートな乗客と貨物の輸送システムは、
（ａ） 前記乗客と貨物を受領、保管、転送する複数のステーションと、
（ｂ） 前記乗客と貨物を輸送する能力を有し且つスケジュールを有する複数の移動者と、
（ｃ） 前記ステーションと前記移動者とを統合する情報を構築し、ニーズに応じて経路を決め、前記経路に符合する前記移動者を派遣して、前記経路上の出発地であるの前記ステーションから最終目的地である前記ステーションまで前記乗客と貨物とを輸送するための通信ネットワークを装備したコンピューター設備と、
（ｄ） 前記コンピューター設備が前記経路に基づいて、前記移動者に単独で前記乗客或いは貨物のピックアップと輸送とを通知して派遣するための前記移動者用の通信機器と、を含み、
前記輸送システムが前記コンピューターと前記通信機器の補助で、前記移動者が単独で前記乗客と前記貨物とを輸送することを特徴としている。
【発明の効果】
【０００９】
我々の通信システム（デジタルデータ送達）は大きく変化したが、輸送システムはそうではない。従来の乗客と貨物との輸送システムは、一般の移動者が彼らの余剰輸送能力を活用できれば、改善されるであろう。これには次のような多くの利点がある。
- 多くの移動者が参加できるため対応可能な輸送が大幅に増加し、より速い輸送することができる
- 多くの単独の移動者が集まればステーションとして設けることができるため、如何なる場所でも単独の移動者さえ集結できれば、貨物の受領、輸送及び配達が可能となり、応用が容易となる。
- 移動者は、ガソリン、食糧及びそのサービスを必要とするため、ステーション付近に発展をもたらすことができる
- 本発明の輸送システムは、すでに移動するスケジュールがある既存の移動者の搬送物としているため、より安価である
- 随時、単独の移動者が各地に出向いているため、年中無休で提供することができるが、専門業者はそうではない
- 専門業者のドライバーのような専門の移動者ではないため、すべてのハブに立ち寄る必要はなく、非常に効率的である
- 人々が呼吸する大気中のスモッグをきれいにすると同時に、炭素排出量を減少し、地球温暖化の緩和を図ることができるため、省エネで環境にやさしい
- 一般道路、高速道路の交通渋滞を減少することができる
- これに参加した単独の移動者とサービス提供者とは、これによって利益を得ることができる
- 既存のシステムにフォローまたはバックアップとして組み合わせることができる
- 荷送人と受取人が自動ステーションまたは有人ステーションに赴いて貨物のピックアップと引渡しができるため、セキュリティとプライバシーがより確保され、移動者からすると、強盗やハイジャックに遭遇する可能性を低減することができる。
- 移動中の緊急事態、事故、その他あらゆるトラブルがあった場合、移動者同士の間で互いに援助し合うことができる。
【図面の簡単な説明】
【００１０】
【図１】従来の輸送システムとハブの模式図である。（先行技術）
【図２】輸送の「ラストとファースト」マイルの部分を示す模式図である。
【図３】ハブによる輸送とノンハブによる輸送とを結合して応用する輸送システムを示す模式図である。
【図４】ノンハブで輸送する輸送システムを示す模式図である。
【図５】受取から送達までの本発明に係る輸送システムを示すフローチャートである。
【図６】ステーションからステーションへの推奨されるシステム輸送を示すフローチャートである。
【発明を実施するための形態】
【００１１】
本発明は、コンピューターと通信データネットワークがパケット交換データネットワークにおいて「パケット交換データ」を配信する方法を模擬しコンピューターと通信データネットワークが「パケット交換データ」を配信する方法を模擬し、全ての既存の輸送ネットワークで、単独の移動者によって「乗客と貨物」をパケットとして輸送する輸送システムである。
【００１２】
本発明の輸送システムは次を含む。
【００１３】
（貨物）
貨物、梱包物或いは小包は、様々な大きさ、形状、重量及び価値があり、また多くの貨物が非常に重く、かさばるが、高い価値を持たないことを踏まえつつ、環境、タイミング、腐敗性、危険性、合法性、敏感性、安全性およびその他の関連する問題を考慮する必要がある。
【００１４】
（乗客）
乗客の輸送は、貨物よりずっと複雑である。座席、食事、水、トイレ、空調/ヒーター、さらには医療対応も用意する必要がある。
【００１５】
（貨物用コンテナ）
標準サイズで再使用可能な、耐久性のある、電子ロックまたは機械的ロック付きのコンテナが望ましい。
【００１６】
（引渡しおよびピックアップステーション）
これらのステーションは、駐車スペースが多く、移動者が駐車、停泊、着陸する場所から遠くない、ガソリンスタンドやコンビニエンスストア、ドラッグストア、スーパー、サービスエリア、ファストフード店、ショッピングセンターなど、人が多いビジネスエリアに位置することが望ましい。緊急の場合、移動者はアイテムの引渡しまたはピックアップのためにどこででも会うことができる。標準的なステーションは高コストで運営する必要がなく、加盟、併合或いは単独で経営することができ、且ついずれの会社が管理してもよい。
【００１７】
（ステーションの管理）
ステーションは乗客と貨物とを受取、保管、転送するための有人または自動化された倉庫とすることができる。
【００１８】
（単独の移動者）
単独の移動者は、専門業者または非専門業者のいずれかとすることができる。非専門業者、或いは専業ではない移動者は、事前に認定と訓練を受ける必要がある。前記単独の移動者は、特定のショッピング、自動車、旅行または特定の関心事のクラブに所属する会員のいずれかとすることができ、移動者が定期的に、または不定期にある場所から別の場所へと移動し、輸送設備にアクセスすることでスケジュールが形成し、且つ指示に従って貨物または乗客をピックアップして輸送することができる。前記単独の移動者は、貨物の内容及び安全性に関する法的責任を負う必要はない。
【００１９】
（輸送設備）
徒歩、自転車、自動二輪車、自動車、トラック、バス、列車、船泊、航空機など、輸送手段として単独の移動者がアクセスできるあらゆるものである。
【００２０】
（コンピューター、サーバー、オンラインウェブサイトアクセスの管理）
コンピューターは荷送人、単独の移動者及びステーション情報のデータベースを構築と管理とを担っている。荷送人が利用可能なステーションから輸送したい貨物があるとき、コンピューターが対応可能な移動者を見つけて通知する。選択された単独の移動者が貨物をピックアップして輸送する。荷送人と受取人はコンピューターシステムを通じて貨物の場所を追跡することができる。
【００２１】
（荷送人）
荷送人は貨物の所有者または一乗客であり、荷送人は貨物（または本人）をステーションに持ち込み、適切な容器を見つけ、それを梱包して保管し、選択された単独の移動者がそれをピックアップして目的地のステーションまたは最終受取人の場所に輸送するのを待機する。
【００２２】
（通信インフラ）
ワイヤレスネットワークが望ましく、且つ各単独の移動者が経路とする範囲をカバーしている必要がある。ＧＰＳを搭載したスマートフォンは、アプリで貨物を追跡し、場所を報告するために役立つ。
【００２３】
（移動者の通信機器またはＰＣＤ（パーソナル通信デバイス））
移動者は、良好なバッテリーとデータアクセス、ＧＰＳ（グローバルポジショニングシステム）を搭載し、ピックアップおよび輸送のため管理コンピューターにアクセスできる、携帯電話を装備している必要がある。
【００２４】
従来の乗客および貨物の輸送システムは、専業の専門ドライバー、船員、パイロットおよび専用の輸送設備を採用して貨物を輸送しているが、本発明は、利用可能な如何なる輸送設備で専門業者ではない単独の移動者が貨物および乗客を輸送するために設計されたものである。コンピューター化されたデータベースネットワークが専門業者ではない単独の移動者に関する情報を収集し、セルラー方式無線通信技術を使用してこれら単独の移動者に貨物ピックアップのためにステーションに行き、貨物を指定のステーション（または住所）まで輸送するように通知する。
【００２５】
図１に先行技術において従来の乗客および貨物が「ハブ」ガイドシステムを介してどのように輸送されているかを示すものである。例えば、ロサンゼルスからラスベガスにアイテムを輸送する場合、全ての貨物および乗客を近くの各ステーション１０１〜１０６に送られる。その後、これら貨物および乗客は、メイン「ハブ」、例えばロサンゼルスのハブ１００に集合されて一緒にバーストーのハブ２００に送られた後、ラスベガスのハブ３００へと送られ、最後に最終ステーション３０１〜３０５に到着する。
【００２６】
ハブを利用したシステムは、近年インターネットの「パケットスイッチング」が誕生するまで１００年間にわたり電話会社が使用してきた「回路切り替え型ネットワーク」に非常によく似ていることが分かる。電話会社はエリア内に中央局（ＣＯ）を持っている。電話回線はユーザからＣＯに接続され、その後別のＣＯまたはエリア内のユーザに接続される。従来の接続システムでは、近くからの電話もＣＯを経由しなければならず、ＣＯに不具合が発生するとシステム全体が麻痺してしまうため、このような方法はコストが高く且つ損傷し易いことから、現在は使われていない。
【００２７】
出発地点であるステーション１０５から所望のステーション２０１へは、従来のシステムの場合、まず出発地点であるステーション１０５からメインハブ１００に貨物を送った後、ハブ２００に送り、最後に所望のステーション２０１に送達することを要求する。もし、出発地点であるステーション１０５から所望のステーション２０１までの間に対応可能な移動者がいれば、２つのメインハブ１００、２００を経由する必要がないため、ガソリン、時間及び交通渋滞を減少するとともに、大気の汚染を低減することができる。
【００２８】
図２は、本発明のシステムの「ラストマイル」を示すものである。乗客または貨物のサービスリクエストポイント７０１〜７０５がスケジュール出発点である。これにより、先行技術で貨物を発送するとき、例えば、貨物を郵便局やＵＰＳ等に送るように、乗客または貨物をサービスリクエストポイント７０１〜７０５から現地の出発地点であるステーション１０６まで送る必要があり、これが乗客の場合、バスステーション１０６に行ってバスを待ち、バスが乗客を乗せてロサンゼルス空港（ＬＡＸ）などのメインハブ１００に運ばれる。このメインハブ１００から、航空会社などの専門業者によって乗客または貨物が目的地まで運ばれ、その途中、別の都市を通過する場合もある（トランジット）。
【００２９】
図３は、一部のハブを除いた本発明に係る輸送システムを示すものである。単独の移動者は、随時、道路上、空の上、海上におり、随時、乗客または貨物を運ぶ任務に対して待機している。コンピューターのサーバーにサービスリクエストがあると、出発地、目的地、重量などの輸送情報に基づいて、コンピューターは付近のステーションと対応可能な単独の移動者（または通勤者）のデータベースを検索する。図３の場合、サービスリクエストは、貨物の所有者が貨物をロサンゼルスからラスベガスのどこかへ輸送を希望している。このため、コンピューターは経路を演算し、出発地ステーションとしてステーション１０６を、目的地ステーションとしてステーション３０５を定位する。対応可能な単独の移動者のデータベースを検索することで、コンピューターは、すでにステーション１０６からバーストーのハブ２００に行くスケジュールを有する単独の移動者Ａを見つける。コンピューターは、ワイヤレステキスト／電子メール／ボイスメッセージで、単独の移動者Ａにステーション１０６へ行って貨物をピックアップ（集荷）し、それをバーストーのステーション２００に輸送するように通知する。貨物が中継点ステーションであるバーストーのハブ２００に到着すると、コンピューターは、バーストーのハブ２００からラスベガスのハブ３００まで行く単独の移動者Ｂを見つける。コンピューターは、単独の移動者Ｂにバーストーのステーション２００で貨物をピックアップして、それをラスベガス３００まで輸送することを通知する。また、単独の移動者Ｃに最後の区間であるラスベガスのハブ３００でピックアップして、目的地である受取人に最も近接する目的地ステーション３０１〜３０５までの輸送することを通知する。目的地ステーション３０１〜３０５において、コンピューターは、目的地ステーション３０１〜３０５へ行き、貨物を受取ってもらうように受取人に通知するか、或いは現地の別の移動者Ｄに通知して貨物をピックアップさせ、受取人までの「ラストマイル」を輸送させることができる。
【００３０】
言及すべきは、単独の移動者を基盤とした輸送ネットワークは、近くに同じ目的地へ行くその他数千の単独の移動者がアシストを提供できることから、緊急事態、車両の故障、移動者の休憩またはその他の理由で移動者が輸送できなくなった場合などに極めて柔軟に対応ができる。そのため、輸送途中の乗客または貨物が輸送途中で中断した場合、近くにいた単独の移動者が非常呼び出しを受信すると、その場に向かって同じ単独の移動者であることを名乗り、所定のステーションではない場所を緊急のステーションとし、アイテムのピックアップを行い、その移動者の代わりとして輸送を続け、乗客および貨物を次のステーションまで運ぶ。専門の輸送サービスと比較すると、彼らのトラックが故障した場合、ドライバーはバックアップのトラックを要請する必要がある。そのバックアップのトラックは数百キロ離れた場所にある可能性があり、平常に戻すために膨大なコストがかかり、多くの荷送人がサービス遅延の影響を受ける。
【００３１】
図４は、ステーション１０６から受取人がいるステーション３０５まで直接輸送することを示すものであって、例えば、ロサンゼルスのハブ１００、バーストーのハブ２００およびラスベガスのハブ３００等の中間にあるハブを経由せずに輸送することを示すものである。これは現在利用されているＵＰＳやＦｅｄＥｘと比較して貨物の輸送時間を大幅に節約できる。
【００３２】
本発明のシステムに追加コストはあまりない。単独の移動者は、近くのステーション１０６に赴き、そこから如何なる方法で目的地であるステーション３０５に行くことができる。一般的な自動車の重量は３,０００〜５,０００ポンドであるから、たとえ貨物２００ポンドを追加しても、燃料消費の増加は５％未満であろう。本発明のシステムは、交通渋滞の減少に非常に役立ち、また自動車は人類の最悪の汚染源であるため、大量のエネルギーを節約できる。
【００３３】
図５は、一元化されたコンピューターシステムがどのように動作するかについてのフローチャートを示すものである。例えば、荷送人がロサンゼルスからラスベガスへの貨物輸送サービスをリクエストして開始する（工程５００）。このリクエストは、電子的に輸送サービスの準備が整ったインターネットのウェブサイトに行うか、電話で口頭で行うか、あるいはステーション１０６に直接行うことができる（工程５０１）。サービスリクエストを受け取った後、コンピューターは関連ステーションと対応可能な移動者を用いてロサンゼルスからラスベガスへの最善の経路を検索・演算する（工程５０２）。工程５０３で、近くのステーションが見つかった場合、コンピューターは荷送人にステーション１０６へ行き、貨物を託送するように依頼する（工程５０４）。それでも見つからない場合、コンピューターは荷送人にサービスが利用できないことを知らせ、リクエストを終了するか、荷送人に専門業者に依頼するように勧める（工程５０５）。工程５０６で、託送に出向くことができない場合、コンピューターは地域の移動者を見つけて貨物をピックアップ（集荷）し（工程５０８）、工程５０９でステーション１０６に貨物が届けられる。
【００３４】
図６は、本発明のシステムのソフトウェアとハードウェアとがどのように動作するかについてのフローチャートを示すものである。工程５０９で、貨物は保管される。コンピューターが関連ステーションと対応可能な移動者のデータベースを検索する（工程６０２と６０３）。工程６０４で、コンピューターはステーションと移動者を見つける（工程６０５）。コンピューターは移動者にステーションで貨物をピックアップ（集荷）するように通知する（工程６０６)。移動者が貨物を受け取ると、この人物が次のステーション（工程６１３）まで貨物を運ぶ（工程６０７)。一方、工程６０４でコンピューターが移動者またはステーションを見つけられない場合（工程６０８）、コンピューターは貨物輸送の至急度に基づいて待機する（工程６０８）。荷送人が急いでいない場合（工程６０９）、許可された時間が経過するまで待ち（工程６１２）、移動者が対応可能になるまで検索に再び戻る（工程６０２）。貨物を急いで輸送する必要がある場合、コンピューターが専門業者に通知し（工程６１０）、貨物をピックアップ（集荷）して次のステーションまで輸送させる（工程６１３)。貨物がステーションに到着すると（工程６１３）、これが最終目的地のステーションであるか否かをコンピューターがチェックする（工程６１４）。そうである場合、貨物はステーションからステーションへと移動する。そうでない場合、貨物は一時的に保管され（工程６１５）、貨物が送達される（工程６１６）までコンピューターが次の移動者と次のステーションの検索を続ける（工程６０２）。
【００３５】
ステーションは乗客と貨物の受け入れ、保管、転送を有人で、または自動化して行うことができる。コスト削減には自動化が最適な方法であり、荷送人、受取人、移動者の利便性が向上される。
【００３６】
（まとめ）
本発明のスマートな輸送システムは、迅速且つ柔軟で、尚且つ信頼性が高く、低コストで、燃料効率に優れ、環境にも優しく、また、交通渋滞を減少し、単独の移動者が利益を得ることができる。すべての通常の輸送システムやビジネスと同様に、リスクは存在し得る。しかしながら、現在の専門業者による輸送サービスと同じように、すべての参加ステーションと移動者は資格要件を満たし、貨物の内容の責任と安全性から保護される。すべての貨物は保険の対象とできる。まとめると、これは電子的に送達不能のアイテムに関する新しいスマートな素晴らしい輸送インフラである。本発明は需要と供給の新しいネットワークであり、即時に手元に届くができるようになるまで、スマートでエネルギー効率に優れ、環境に優しい輸送システムである。
【符号の説明】
【００３７】
１００、２００、３００                              ハブ
１０１、１０２、１０３、１０４、１０５、１０６      荷送人のステーション
２０１、２０２                                      サービスステーション
３０１、３０２、３０３、３０４、３０５              受取人のステーション
５００                                              輸送サービスの準備完了
５０１                                              リクエスト有無
５０２                                              コンピューターが付近のステーションをチェック
５０３                                              見つかったか否か
５０４                                              ステーションあり
５０５                                              サービスステーション利用不可
５０６                                              引渡しまたはピックアップ
５０７                                              引渡しを待つ
５０８                                              ピックアップにドライバーを派遣
５０９                                              貨物を取得
６０２                                              コンピューターが次のステーションを演算
６０３                                              コンピューターが付近の対応可能な移動者をチェック
６０４                                              見つかったか否か
６０５                                              移動者あり
６０６                                              移動者にピックアップを通知
６０７                                              移動者が輸送（輸送中）
６０８                                              対応できる移動者なし
６０９                                              移動者タイムアウト
６１０                                              専門業者ドライバーに通知
６１１                                              専門業者が輸送（輸送中）
６１２                                              移動者の遅延許可
６１３                                              貨物がステーションに到着
６１４                                              ここが最終ステーションか否か
６１５                                              貨物を一時的に保管
６１６                                              貨物が目的地のステーションに到着
７０１、７０２、７０３、７０４、７０５              荷送人
【図１】
2016091563.tif 000003
【図２】
2016091563.tif 000004
【図３】
2016091563.tif 000005
【図４】
2016091563.tif 000006
【図５】
2016091563.tif 000007
【図６】
2016091563.tif 000008